【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
データソースのワイヤレス通信の方法であって、
前記データソースはユーザ機器UEであり、
マルチキャストグループ識別子を有するマルチキャストグループのためのマルチキャス
ト送信を行うことを決定するステップと、
前記マルチキャスト送信を行う前に、前記マルチキャストグループ内の少なくとも1つの他のUEを有するマルチキャストセッションを開始するかまたは前記マルチキャストセッションに参加する意図を示す表現をワイヤレスに伝達するステップであって、前記表現が前記マルチキャストグループ識別子に基づき、前記表現をワイヤレスに伝達する前記ステップが、
前記少なくとも1つの他のUEおよび前記データソースが前記表現を伝達するために同時にアウェイクする状態になっていないと判定するステップと、
前記少なくとも1つの他のUEおよび前記データソースが前記表現をワイヤレスに伝達するために同時にアウェイクするまで待機するステップと、
前記少なくとも1つの他のUEへの前記マルチキャスト送信を行うステップとを含む方法
。
【請求項２】
前記表現は、発見チャネル上でワイヤレスに伝達され、前記マルチキャスト送信は、前
記発見チャネルとは異なるデータチャネル上で行われる、請求項1に記載の方法。
【請求項３】
前記表現をワイヤレスに伝達する前記ステップは、前記データソースが前記少なくとも
1つの他のUEへの前記マルチキャスト送信を行う準備が完了したことの表示を送信するス
テップを含む、請求項1に記載の方法。
【請求項４】
前記表現をワイヤレスに伝達する前記ステップは、前記少なくとも1つの他のUEが前記
マルチキャスト送信を受信する準備が完了したことの表示を受信するステップを含み、前
記方法は、
前記少なくとも1つの他のUEから前記表示を受信したことに応答して、非アイドル状態
に切り替わり前記少なくとも1つの他のUEへの前記マルチキャスト送信を行うステップを
さらに含む、請求項1に記載の方法。
【請求項５】
前記少なくとも1つの他のUEが前記マルチキャスト送信を受信する準備が完了したこと
の前記表示を受信する前記ステップは、前記少なくとも1つの他のUEが前記データソース
の直接通信範囲内にあることを示す、請求項4に記載の方法。
【請求項６】
データ受信機のワイヤレス通信の方法であって、
前記データ受信機は第1のユーザ機器UEであり、
マルチキャストグループ識別子を有するマルチキャストグループのためのマルチキャス
ト送信を受信することを決定するステップと、
前記マルチキャスト送信を受信する前に、前記マルチキャストグループ内のデータソースを有するマルチキャストセッションを開始するかまたは前記マルチキャストセッションに参加する意図を示す表現をワイヤレスに伝達するステップであって、前記データソースは第2のUEであり、前記表現が前記マルチキャストグループ識別子に基づき、前記表現をワイヤレスに伝達する前記ステップが、
前記データソースおよび前記受信機が前記表現を伝達するために同時にアウェイクす
る状態になっていないと判定するステップと、
前記データソースおよび前記受信機が前記表現を伝達するために同時にアウェイクす
るまで待機するステップとを含むステップと、
前記データソースから前記マルチキャスト送信を受信するステップとを含む方法。
【請求項７】
前記表現は、発見チャネル上でワイヤレスに伝達され、前記マルチキャスト送信は、前
記発見チャネルとは異なるデータチャネル上で受信される、請求項6に記載の方法。
【請求項８】
前記表現をワイヤレスに伝達する前記ステップは、前記データ受信機が前記データソー
スから前記マルチキャスト送信を受信する準備が完了したことの表示を送信するステップ
を含む、請求項6に記載の方法。
【請求項９】
前記表現をワイヤレスに伝達する前記ステップは、前記データソースが前記マルチキャ
スト送信を行う準備が完了したことの表示を受信するステップを含み、前記方法は、
前記データソースから前記表示を受信したことに応答して、非アイドル状態に切り替わ
り前記データソースから前記マルチキャスト送信を受信するステップをさらに含む、請求
項6に記載の方法。
【請求項１０】
前記データソースが前記マルチキャスト送信を行う準備が完了したことの前記表示を受
信する前記ステップは、前記データソースが前記データ受信機の直接通信範囲内にあるこ
とを示す、請求項9に記載の方法。
【請求項１１】
ワイヤレス通信のためのユーザ機器UE装置であって、
マルチキャストグループ識別子を有するマルチキャストグループのためのマルチキャス
ト送信を行うことを決定するための手段と、
前記マルチキャスト送信を行う前に、前記マルチキャストグループ内の少なくとも1つの他のUEを有するマルチキャストセッションを開始するかまたは前記マルチキャストセッションに参加する意図を示す表現をワイヤレスに伝達するための手段であって、前記表現が前記マルチキャストグループ識別子に基づき、前記表現をワイヤレスに伝達するための前記手段が、
前記少なくとも1つの他のUEおよび前記UE装置が前記表現を伝達するために同時にア
ウェイクする状態になっていないと判定することと、
前記少なくとも1つの他のUEが前記表現をワイヤレスに伝達するために前記UE装置と同時にアウェイクするまで待機することとを行うように構成される手段と、
前記少なくとも1つの他のUEへの前記マルチキャスト送信を行う手段と
を備える装置。
【請求項１２】
前記決定するための手段は決定モジュールにより提供され、表現をワイヤレスに伝達するための手段は表現処理モジュールにより提供され、前記マルチキャスト送信を行う手段はマルチキャストデータ処理モジュールにより提供される、請求項11に記載の装置。
【請求項１３】
ワイヤレス通信のための第1のユーザ機器UE装置であって、
マルチキャストグループ識別子を有するマルチキャストグループのためのマルチキャス
ト送信を受信することを決定するための手段と、
前記マルチキャスト送信を受信する前に、前記マルチキャストグループ内のデータソースを有するマルチキャストセッションを開始するかまたは前記マルチキャストセッションに参加する意図を示す表現をワイヤレスに伝達するための手段であって、前記データソースは第2のUEであり、前記表現が前記マルチキャストグループ識別子に基づき、前記表現をワイヤレスに伝達するための前記手段が、
前記データソースおよび前記データ受信機が前記表現を伝達するために同時にアウェイクする状態になっていないと判定することと、
前記データソースおよび前記データ受信機が前記表現をワイヤレスに伝達するために同時にアウェイクするまで待機することとを行うように構成される手段と、
前記データソースから前記マルチキャスト送信を受信する手段とを備える装置。
【請求項１４】
前記決定するための手段は決定モジュールにより提供され、表現をワイヤレスに伝達するための手段は表現処理モジュールにより提供され、前記マルチキャスト送信を受信するための手段はマルチキャストデータ処理モジュールにより提供される、請求項13に記載の装置。
【請求項１５】
請求項1乃至5または6乃至10に記載の方法を実施するためにコンピュータ実行可能であるプログラム命令を含む、コンピュータプログラム。